(57)【要約】 【課題】  付勢バネを用いた半嵌合検知を行える形状の自由度を増す。【解決手段】  両ハウジング１０，２０が嵌合されると、ロックアーム３０がロック突部１５と係合する前に、スライドカバー４０の前面板４１が機器１１の壁面１１Ａに当接し、続いて押し込まれる。付勢バネ４５は、後端がロックアーム３０の操作板３４に、前端が移動体４８を介してカバー４０に仮係止されているから、カバー４０が押し込まれることに伴い次第に弾縮される。この間に、ロックアーム３０の前端がロック突部１５と係合して揺動変位しつつこれを通過する。両ハウジング１０，２０が正規嵌合に至る前に嵌合操作が停止されると、蓄勢された付勢バネ４５の弾発力で両ハウジング１０，２０が離間され、半嵌合が検知される。正規に嵌合されると、ロックアーム３０が復動してロックが掛かり、付勢バネ４５は仮係止が外れて弾縮状態から解放される。【選択図】  図９
2005197167.tif 000002
【特許請求の範囲】
【請求項１】
互いに嵌合される一対のコネクタハウジングのうちの一方のコネクタハウジングにはロック突部が、他方のコネクタハウジングには前記ロック突部に弾性的に係止するロックアームがそれぞれ設けられるとともに、
前記他方のコネクタハウジングには、前後方向に摺動可能なスライダと、前後方向に伸縮可能な付勢バネとが設けられ、この付勢バネは、後端がこの他方のコネクタハウジングに固定されるのに対して、前端が前記スライダにおける前端よりも後方に入った位置において仮係止され、この仮係止は付勢バネが所定以上弾縮された場合の弾発力で解除可能となっており、
前記一方のコネクタハウジングにおける前記ロック突部の後方には、前記ロックアームが前記ロック突部と係合する前の嵌合状態において前記スライダの前端に押圧可能に当接する押圧部が設けられていることを特徴とするコネクタ。
【請求項２】
前記スライダには、自由状態に戻った前記付勢バネの前端を係止する係止手段が設けられていることを特徴とする請求項１記載のコネクタ。
【請求項３】
前記ロックアームがシーソ状をなし、前端が前記ロック突部に係止可能で、後端を押圧してこのロックアームを強制的に揺動させることで前記ロック突部に対する前端の係止が解除されるようになっており、このロックアームの前記後端に前記付勢バネの後端が固定されていることを特徴とする請求項１または請求項２記載のコネクタ。
【請求項４】
前記スライダには、前記両コネクタハウジングが正規嵌合された状態からこのスライダが後方に所定量移動した場合に、前記ロックアームの後端を押圧して前記ロック突部に対する係止を解除すべく強制的に揺動させる解除部が設けられていることを特徴とする請求項３記載のコネクタ。
【請求項５】
前記押圧部は、前記一方のコネクタハウジングの中心を通って両コネクタハウジングの嵌合方向に沿う面のうちの、前記ロック突部を通る面上に設けられていることを特徴とする請求項１ないし請求項４のいずれかに記載のコネクタ。
【請求項６】
前記押圧部は、前記一方のコネクタハウジングの中心を通って両コネクタハウジングの嵌合方向に沿う面のうちの、前記ロック突部を通る面とは交差した面上に設けられていることを特徴とする請求項１ないし請求項４のいずれかに記載のコネクタ。
【発明の詳細な説明】
【技術分野】
【０００１】
本発明は、半嵌合検知機能を備えたコネクタに関する。
【背景技術】
【０００２】
従来、この種の半嵌合検知機能を備えたコネクタとして、以下のようなものが知られている。これは、雄雌一対のコネクタハウジングのうち雌側のコネクタハウジングに、圧縮コイルバネ等からなる付勢バネが設けられ、両コネクタハウジングの嵌合過程では、付勢バネの後端が後退規制されるとともに雄側のコネクタハウジングが付勢バネの前端を後方へ押すことにより、その付勢バネが弾縮されて付勢力が蓄勢されるようになっている。  
そして、両コネクタハウジングが正規嵌合されてロックされると、付勢バネの後端の後退規制が解除されて、付勢バネが後方へ伸長しつつ付勢力が解放される。一方、両コネクタハウジングが正規嵌合に至る前に嵌合操作が停止されると、蓄勢された付勢バネの付勢力によって両コネクタハウジングが離間され、これにより未だ半嵌合状態にあったことが検知されるようになっている（例えば、特許文献１参照）。
【特許文献１】特開平１１−１１１３９０号公報
【発明の開示】
【発明が解決しようとする課題】
【０００３】
ところで従来のものでは、両コネクタハウジングの嵌合過程で付勢バネの前端を押す部位としては、雄側のコネクタハウジングのフード部またはフード部の外面に設けられたリブが使用されていた。  
そのため、雄側のコネクタハウジングにおいてフード部が短かったり、リブが備えることができないものには、付勢バネを押圧することができない等によって適用することができず、このようなコネクタについても付勢バネによる半嵌合検知を行うことができる手段の出現が切望されていた。  
本発明は上記のような事情に基づいて完成されたものである。
【課題を解決するための手段】
【０００４】
請求項１の発明は、互いに嵌合される一対のコネクタハウジングのうちの一方のコネクタハウジングにはロック突部が、他方のコネクタハウジングには前記ロック突部に弾性的に係止するロックアームがそれぞれ設けられるとともに、前記他方のコネクタハウジングには、前後方向に摺動可能なスライダと、前後方向に伸縮可能な付勢バネとが設けられ、この付勢バネは、後端がこの他方のコネクタハウジングに固定されるのに対して、前端が前記スライダにおける前端よりも後方に入った位置において仮係止され、この仮係止は付勢バネが所定以上弾縮された場合の弾発力で解除可能となっており、前記一方のコネクタハウジングにおける前記ロック突部の後方には、前記ロックアームが前記ロック突部と係合する前の嵌合状態において前記スライダの前端に押圧可能に当接する押圧部が設けられている構成としたところに特徴を有する。
【０００５】
請求項２の発明は、請求項１に記載のものにおいて、前記スライダには、自由状態に戻った前記付勢バネの前端を係止する係止手段が設けられているところに特徴を有する。  
請求項３の発明は、請求項１または請求項２に記載のものにおいて、前記ロックアームがシーソ状をなし、前端が前記ロック突部に係止可能で、後端を押圧してこのロックアームを強制的に揺動させることで前記ロック突部に対する前端の係止が解除されるようになっており、このロックアームの前記後端に前記付勢バネの後端が固定されているところに特徴を有する。
【０００６】
請求項４の発明は、請求項３のいずれかに記載のものにおいて、前記スライダには、前記両コネクタハウジングが正規嵌合された状態からこのスライダが後方に所定量移動した場合に、前記ロックアームの後端を押圧して前記ロック突部に対する係止を解除すべく強制的に揺動させる解除部が設けられているところに特徴を有する。
【０００７】
請求項５の発明は、請求項１ないし請求項４のいずれかに記載のものにおいて、前記押圧部は、前記一方のコネクタハウジングの中心を通って両コネクタハウジングの嵌合方向に沿う面のうちの、前記ロック突部を通る面上に設けられているところに特徴を有する。
請求項６の発明は、請求項１ないし請求項４のいずれかに記載のものにおいて、前記押圧部は、前記一方のコネクタハウジングの中心を通って両コネクタハウジングの嵌合方向に沿う面のうちの、前記ロック突部を通る面とは交差した面上に設けられているところに特徴を有する。
【発明の効果】
【０００８】
＜請求項１の発明＞
両コネクタハウジングが嵌合されると、ロックアームがロック突部と係合する前に、スライダの前端が他方のコネクタハウジングの押圧部に当接し、引き続く嵌合操作によりスライダは押圧部で押し込まれる。付勢バネは、後端が他方のコネクタハウジングに固定され、前端がスライダに仮係止されているから、スライダが押し込まれることに伴い次第に弾縮される。この間に、ロックアームがロック突部と係合して弾性変位しつつこれを通過し、両コネクタハウジングが正規に嵌合されると、ロックアームが復動してロック突部に係止し、両コネクタハウジングが正規の嵌合状態にロックされる。このとき、付勢バネが所定以上弾縮されるため、その弾発力により仮係止が外れ、付勢バネの前端がスライダの前端側に向けて伸びつつ弾縮状態から解放される。  
一方、両コネクタハウジングが正規嵌合に至る前に嵌合操作が停止されると、弾縮された付勢バネの弾発力によって両コネクタハウジングが離間され、これにより未だ半嵌合状態にあったことが検知される。
【０００９】
本発明では、言わばスライダの前端が前方に延ばされたことにより、スライダを押圧する押圧部をロック突部よりも後方に設けた構造でありながらも、ロックアームとロック突部とが係合するよりも前の段階からスライダの押し込み、すなわち付勢バネを弾縮することが可能となる。  
そのため、コネクタの形態として、例えばフード長が短かかったり、コネクタハウジングの外周に特別の押圧用のリブが形成できないといった制限があるものについても、付勢バネを用いた半嵌合の検知機能を確実に発揮させることができる。
【００１０】
＜請求項２の発明＞
両コネクタハウジングが正規嵌合して付勢バネが自由状態に戻された際に、その前端がスライダの係止手段に係止される。付勢バネが不必要に遊動することが回避される。  
＜請求項３の発明＞
ロックアームがロック突部と係合して揺動している状態でスライダが押し込まれる際には、付勢バネは湾曲しつつ弾縮して付勢力が蓄勢される。ロックアームの揺動スペースも利用して付勢バネを装着したから、付勢バネの装着スペースが稼げることになって、コネクタハウジングをコンパクトにできる。
【００１１】
＜請求項４の発明＞
両コネクタハウジングが正規嵌合された状態からスライダを後方に移動させると、付勢バネが次第に弾縮されて付勢力が蓄勢される。所定量後退されると、解除部がロックアームの後端を押圧して強制的に揺動させることでロック突部に対する係止が解除され、付勢バネの付勢力を受けて両コネクタハウジングが離間される。  
付勢バネの付勢力を利用してコネクタハウジングの離脱作業も軽く行うことができる。
【００１２】
＜請求項５の発明＞
一方のコネクタハウジングの外形において、ロック突部を通る面と交差する方向の寸法が小さくできる。  
＜請求項６の発明＞
一方のコネクタハウジングの外形において、ロック突部を通る面に沿った方向の寸法が小さくできる。すなわち低背化を図ることができる。
【発明を実施するための最良の形態】
【００１３】
以下、本発明の一実施形態を図１ないし図１５に基づいて説明する。  
本実施形態のコネクタは、例えば図９に示すように、互いに嵌合される雄側のコネクタハウジング１０（以下、単に雄ハウジング１０という）と、雌側のコネクタハウジング２０（以下、単に雌ハウジング２０という）とから構成されている。  
なお以下では、各ハウジング１０，２０について、相手側との嵌合面側を前方として説明する。
【００１４】
雄ハウジング１０は合成樹脂製であって、図１、図８及び図９に示すように、車両等に搭載された機器１１の壁面１１Ａ（本発明の押圧部に相当）から一体的に突設されたフード部１２を有している。このフード部１２は正面から見て横長の長円形の筒状に形成され、その奥面は機器１１内に深く窪んで設けられ、その分壁面１１Ａからのフード部１２の突出長さが短く設定されている。フード部１２の窪んだ奥面からは、タブ状をなす図示３本の雄端子１４が横方向に並んで突設されている。
【００１５】
フード部１２の上下両面には、それぞれ幅方向と奥行方向の中央部において、一対のロック突部１５が対称に突設されている。各ロック突部１５の前面には、後方に向けて上り勾配となったガイド面１６が形成されている。  
なお、雄ハウジング１０の上側の内面における正面から見た左端寄りの位置の奥側には、嵌合検知用のリブ１８が立てられている。
【００１６】
雌ハウジング２０は同じく合成樹脂製であって、図２に示すように、横長の長円形断面をなす端子収容部２１を有し、前端側の約２／３の長さ部分が雄ハウジング１０の内側に嵌合可能となっている（図１３参照）。この端子収容部２１内には、図示３個のキャビティ２２が雄ハウジング１０における雄端子１４の配列と対応して形成されている。各キャビティ２２内には、図６に示すように、電線２３の端末に固着された雌端子２４が後方から挿入され、金属ランス２５によって抜け止め状態に一次係止され、さらにサイドタイプのリテーナ２７によって二重係止されて収容されるようになっている。リテーナ２７には、正規位置まで押し込まれた場合に、雄ハウジング１０側のリブ１８と対向して嵌合可能な検知溝２８が形成されている。
【００１７】
端子収容部２１の上面における幅方向の中央部には、雄雌のハウジング１０，２０間を正規の嵌合状態にロックするためのロックアーム３０が設けられている。このロックアーム３０は前後方向に細長い形状で、端子収容部２１の全長にほぼ等しい長さを有するが、前端がリテーナ２７の装着位置付近に位置し、後端が端子収容部２１の後面よりも後方に突出した状態で配される。ロックアーム３０は、その下面における長さ方向の中央部よりも少し前の位置が、端子収容部２１の上面（後から全長の約１／３の位置）に支点部３１によって連結され、支点部３１を中心としてシーソ状に揺動変位可能となっている。
【００１８】
ロックアーム３０の下面には、前端よりも少し入った位置から後面に開口するロック溝３２が切られており、このロック溝３２の前面３２Ａが、雄ハウジング１０のロック突部１５に係止可能となっている。ロック溝３２の前方には、テーパ状のガイド面３３が形成されている。一方ロックアーム３０の後端には、図３にも示すように、幅広の操作板３４が立ち上がった形態で形成されている。  
詳しくは後記するように、両ハウジング１０，２０が嵌合されると、ロックアーム３０が揺動変位しつつその前端側がロック突部１５に乗り上げ、通過して復動したところでロック突部１５がロック溝３２に嵌ってその前面３２Ａに係止されることでロックが掛かり、この状態から操作板３４を下方に押圧してロックアーム３０の前端側を持ち上げると、ロック突部１５がロック溝３２から相対的に抜けることでロックが解除されるようになっている。
【００１９】
続いて、半嵌合の検知機構について説明する。  
雌ハウジング２０には、本発明のスライダに相当するスライドカバー４０が装着されている。このスライドカバー４０は合成樹脂製であって、図２及び図６に示すように、概ね端子収容部２１の下面からその前端側の両側面、さらにはロックアーム３０の両側面から上面を囲む筒状をなすとともに、前面板４１を備えた形状に形成されている。このスライドカバー４０は、その内側の下面に切られた前後方向のガイド溝４２に、端子収容部２１の下面のストッパ３６を嵌めて摺動させることで、雌ハウジング２０に対して前後方向の移動可能に装着されている。なお、スライドカバー４０の前面板４１には、図２に示すように、雄ハウジング１０におけるフード部１２並びにロック突部１５の進入を許容し、また後記する移動体４８を臨ませることが可能な窓孔４３が開口されている。
【００２０】
スライドカバー４０内の上部位置は、付勢バネ４５等が収納される収納室４６とされている。付勢バネ４５は例えば圧縮コイルバネからなり、２本備えられている。  
収納室４６内には、そのほぼ全幅にわたる横長の移動体４８が収納されている。収納室４６の両側面には、図８に示すように、前縁から少し中に入った位置から後縁に開口したガイド溝５０が形成され、移動体４８は、その左右両側面に突設された摺動体５１がガイド溝５０に摺動自由に嵌合されることで、収納室４６内で前後方向の移動可能となっている。
【００２１】
この移動体４８と、上記したロックアーム３０の操作板３４との対向面には、それぞれ幅方向の両端位置に、バネ取付部５３が前後で対をなすように対向して突設されている。各付勢バネ４５は、前端が移動体４８のバネ取付部５３に、後端が操作板３４のバネ取付部５３に、それぞれ圧入されて固定されている。  
移動体４８の上面における幅方向の両端部には、若干立ち上がったのち後方に向けて延出した弾性係止片５５が形成され、先端に係止部５６が形成されている。この係止部５６は、図７に示すように、延出方向における後面側（同図の左側）が切り立った係止面５６Ａで、前面側がテーパ面５６Ｂとされている。また、スライドカバー４０の天井面には、奥行き方向の中央部よりも少し前方位置に、係止部５６が嵌る第１係止孔５７が開口されている。
【００２２】
付勢バネ４５は初めに、係止部５６が第１係止孔５７に嵌った状態の移動体４８と、ロックアーム３０の操作板３４との間で、ほぼ自然状態において装着される。そして、スライドカバー４０は、第１係止孔５７が移動体４８の係止部５６に係止して後方への移動が規制され、またガイド溝４２の後端がストッパ３６に当たることで前方への移動が規制され、前面板４１が雌ハウジング２０（端子収容部２１）の前面とほぼ面一となる位置に仮保持されるようになっている。  
なお詳しくは後記するが、弾性係止片５５の係止部５６が第１係止孔５７に嵌っている状態において付勢バネ４５が弾縮され、所定以上の弾発力が作用すると、テーパ面５６Ｂで逃がされつつ弾性係止片５５が内方に湾曲し、係止部５６が第１係止孔５７から抜けるようになっている。
【００２３】
スライドカバー４０の天井面における第１係止孔５７から所定寸法前方位置には、同じく弾性係止片５５の係止部５６が嵌る第２係止孔５８が形成されている。上記のように係止部５６が第１係止孔５７から外れ、付勢バネ４５の弾発力で移動体４８並びに弾性係止片５５が前方に移動した場合に、付勢バネ４５が自然状態に復帰したところで、係止部５６が第２係止孔５８に嵌る設定となっている。このとき、移動体４８はカバーの前面板４１の窓孔４３内に臨む。  
なお、弾性係止片５５の係止部５６が第２係止孔５８に嵌っている状態において、付勢バネ４５を介して移動体４８に対して後方に引っ張る力が所定以上作用すると、テーパ面５６Ｂで逃がされつつ弾性係止片５５が内方に湾曲し、係止部５６が第２係止孔５８から抜けるようになっている。
【００２４】
また、スライドカバー４０の天井面には、幅方向並びに奥行方向の中央部において、上記したロックアーム３０の操作板３４を押圧する解除部６０が突設されている。解除部６０は、その後面側（図１４の右側）が、下端に向かうに従って前方に傾斜したカム面６１に形成され、スライドカバー４０が後方に移動すると、操作板３４の上端がカム面６１に当接することで、次第に下方に向けて押圧され、カム面６１の突出端側で押されるまでに、ロックが解除される程度にロックアーム３０が強制的に揺動変位するようになっている。  
なお、移動体４８の上面には、解除部６０の通過を許容する逃がし凹部４９が形成されている。
【００２５】
続いて、本実施形態の作用を説明する。  
初めに雌ハウジング２０は、図９に示すように、移動体４８の弾性係止片５５の係止部５６が第１係止孔５７に嵌って、その移動体４８とロックアーム３０の操作板３４との間に付勢バネ４５が自然状態で装着され、スライドカバー４０が、その前面板４１を雌ハウジング２０の端子収容部２１の前面とほぼ面一に位置させた前進位置に保持された状態にある。  
この状態から、同図の矢線に示すように、雌ハウジング２０が相手の雄ハウジング１０に嵌合されると、雄ハウジング１０のフード部１２並びにロック突部１５が、スライドカバー４０内に前方から進入するものの、上側のロック突部１５がロックアーム３０の前端と係合する前に、図１０に示すように、スライドカバー４０の前面板４１が機器１１の壁面１１Ａに当接する。
【００２６】
嵌合が継続されると、スライドカバー４０が壁面１１Ａで押されて、これと一体的に仮保持された移動体４８も、付勢バネ４５を弾縮しつつ雌ハウジング２０に対して後方に移動する。嵌合が終盤に近付くと、図１１に示すように、ロックアーム３０の前端のガイド面３３がロック突部１５のガイド面１６に当たって、支点部３１を中心にロックアーム３０を揺動させつつこれに乗り上げる。このときも付勢バネ４５は、軸線を湾曲させながらさらに弾縮される。
【００２７】
両ハウジング１０，２０が正規嵌合されると、ロックアーム３０の前端がロック突部１５を通過するため、図１２に示すように、ロックアーム３０が復元しつつロック突部１５がロック溝３２内に嵌ってロック溝３２の前面３２Ａに係止される。これにより、両ハウジング１０，２０が正規に嵌合した状態、すなわち雄雌の対向した端子金具１４，２４同士が正規に接続された状態にロックされる。それとともに付勢バネ４５の弾発力も所定以上に上がるために、同図に示すように、弾性係止片５５が湾曲しつつ係止部５６が第１係止孔５７から外れ、付勢バネ４５が自然状態に向けて解放されつつ移動体４８が前進する。
【００２８】
付勢バネ４５が自然状態に復帰すると、図１３に示すように、移動体４８が窓孔４３に臨むとともに、弾性係止片５５の係止部５６が第２係止孔５８に嵌って移動体４８を保持する。  
これにより嵌合操作が完了し、付勢バネ４５が自然状態に復帰してへたりが防止されるとともに、移動体４８がロックアーム３０の前端の直上位置で保持されることで、ロックアーム３０の不用意な揺動が規制され、すなわち二重ロックされた状態となる。また、付勢バネ４５並びに移動体４８が収納室４６内で遊動して、異音を発生する等が防止される。
【００２９】
一方、図１１の状態のように、両ハウジング１０，２０が正規嵌合に至る前に嵌合操作が停止されると、弾縮された付勢バネ４５の弾発力が作用し、ロックアーム３０の操作板３４を押圧して、雌ハウジング２０が雄ハウジング１０から引き戻されて離間される。これにより、両ハウジング１０，２０が未だ正規嵌合に至っていない、すなわち半嵌合状態にあったことが検知される。この場合は、改めて嵌合操作を行えばよい。
【００３０】
メンテナンス等において、雌ハウジング２０を雄ハウジング１０から外す場合は、図１３に示す状態から、スライドカバー４０を後方に引っ張る。スライドカバー４０は、付勢バネ４５を弾縮しつつ後方に移動するが、それに伴い、図１４に示すように、解除部６０のカム面６１がロックアーム３０の操作板３４に当接してこれを押し下げることで、ロックアーム３０が強制的に揺動変位され、ロック溝３２がロック突部１５から外れることでロックが解除される。
【００３１】
そうすると、弾縮された付勢バネ４５の弾発力が作用し、ロックアーム３０の操作板３４を押圧して、雌ハウジング２０が雄ハウジング１０から引き戻されて離間される。その途中で、移動体４８に対しても後方に引っ張る力が作用し、図１５に示すように、弾性係止片５５が撓みつつ係止部５６が第２係止孔５８から抜け、移動体４８も後方に引っ張られる。  
図９に示すように、雌ハウジング２０（端子収容部２１）の前面がスライドカバー４０の前面板４１と面一となるまで戻されると、付勢バネ４５も自然状態に復帰し、移動体４８の弾性係止片５５の係止部５６が第１係止孔５７に嵌った初期状態に保持される。
【００３２】
以上説明したように本実施形態によれば、言わばスライドカバー４０の前端が前方に延ばされた構造となっているから、機器１１の壁面１１Ａを利用してスライドカバー４０を押し込み、すなわち付勢バネ４５を弾縮することが可能であり、フード部１２の長さが短いものであっても、付勢バネ４５を用いた半嵌合の検知機能を確実に発揮させることができる。  
付勢バネ４５の後端はロックアーム３０の操作板３４に固定されており、すなわちロックアーム３０の揺動スペースをも利用して付勢バネ４５を装着した構造であるから、付勢バネ４５の装着スペースが稼げることになって、雌ハウジング２０をコンパクトに形成できる。
【００３３】
メンテナンス等で両ハウジング１０，２０の嵌合を外す場合は、スライドカバー４０を後方に引っ張ると、付勢バネ４５が次第に弾縮されて付勢力が蓄勢される一方、所定量後退されると、解除部６０がロックアーム３０の操作板３４を押圧して強制的に揺動させることでロックが解除され、付勢バネ４５の付勢力を受けて雌ハウジング２０が雄ハウジング１０から引き戻される。すなわち、付勢バネ４５の付勢力を利用することで、両ハウジング１０，２０の離脱作業も軽く行うことができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明は機器直結型のコネクタに限らず、ワイヤ−ワイヤのコネクタにも同様に適用することができる。  
（２）特に上記の場合、ロック突部の後方にあってスライドカバーを押圧することに機能する押圧部は、上記実施形態の機器の壁面のように、必ずしも両ハウジングの嵌合方向と直交する面の全面に配する必要はなく、例えば、雄ハウジングの中心を通って両ハウジングの嵌合方向に沿う面のうちの、ロック突部を通る面上のみに設けてもよい。この場合は、雄ハウジングの外形において、ロック突部を通る面と交差する方向の寸法を小さくすることができる。
【００３５】
（３）逆に押圧部は、雄ハウジングの中心を通って両ハウジングの嵌合方向に沿う面のうちの、ロック突部を通る面とは交差した面上のみに設けてもよい。この場合は、雄ハウジングの外形において、ロック突部を通る面に沿った方向の寸法を小さくでき、すなわち低背化を図ることができる。  
（４）上記実施形態とは逆に、ロック突部を雌ハウジング側に、ロックアーム、付勢バネ、スライドカバー等を雄ハウジング側に設けることも可能である。
【図面の簡単な説明】
【００３６】
【図１】本発明の一実施形態に係る雄ハウジングの正面図
【図２】スライドカバーが装着された雌ハウジングの正面図
【図３】同背面図
【図４】同側面図
【図５】同平面図
【図６】雌端子を雌ハウジングに挿入する前の状態の縦断面図
【図７】付勢バネの装着部分を示す部分断面図
【図８】雄雌のハウジングの嵌合前の平断面図
【図９】同縦断面図
【図１０】スライドカバーを押圧し始める状態の縦断面図
【図１１】嵌合終盤の縦断面図
【図１２】ロックが掛かったときの縦断面図
【図１３】正規嵌合状態にロックされたときの縦断面図
【図１４】ロックが外れた状態の縦断面図
【図１５】雌ハウジングが引き戻された状態の縦断面図
【符号の説明】
【００３７】
１０…雄ハウジング（一方のコネクタハウジング）
１１…機器
１１Ａ…（機器１１の）壁面（押圧部）
１５…ロック突部
２０…雌ハウジング（他方のコネクタハウジング）
３０…ロックアーム
３１…支点部
３２…ロック溝
３４…操作板
４０…スライドカバー（スライダ）
４１…前面板
４５…付勢バネ
４８…移動体
５３…バネ取付部
５５…弾性係止片
５７…第１係止孔
５８…第２係止孔（係止手段）
６０…解除部
【図１】
2005197167.tif 000003
【図２】
2005197167.tif 000004
【図３】
2005197167.tif 000005
【図４】
2005197167.tif 000006
【図５】
2005197167.tif 000007
【図６】
2005197167.tif 000008
【図７】
2005197167.tif 000009
【図８】
2005197167.tif 000010
【図９】
2005197167.tif 000011
【図１０】
2005197167.tif 000012
【図１１】
2005197167.tif 000013
【図１２】
2005197167.tif 000014
【図１３】
2005197167.tif 000015
【図１４】
2005197167.tif 000016
【図１５】
2005197167.tif 000017